(57)【要約】  【課題】  撮影等によって作成したデータを自動的に記憶装置へ転送することによって、確実にデータの転送を行うことができるデータ記憶方法、データ記憶システム、データ作成装置及び記憶装置を提供する。  【解決手段】  撮影装置（データ作成装置）１は、使用者によって屋外等の任意の場所で使用され、ＮＡＳ等の記憶装置２は使用者宅Ｈ等に設置されている。記憶装置２には電子メールアドレスが割り振られている。撮影装置１は、撮影により画像データ（データ）を作成し、画像データの転送の予約を指示する予約情報を含む電子メールを記憶装置２宛に送信する。記憶装置２は、電子メールを受信し、予約情報に従って、使用者が帰宅する等により画像データの転送が可能となった状態で、無線ＬＡＮ等により撮影装置１から画像データを転送させ、転送された画像データを記憶する。【選択図】        図１
2006209443.tif 000002
【特許請求の範囲】
【請求項１】
データを作成するデータ作成装置と、データを記憶する記憶装置とを用い、前記データ作成装置が作成したデータを前記記憶装置で記憶するデータ記憶方法において、
前記データ作成装置は、
作成したデータを記憶し、
記憶しているデータの転送の予約を指示する予約情報を作成し、
作成した前記予約情報を前記記憶装置宛に送信し、
前記記憶装置は、前記データ作成装置から送信された前記予約情報を受信した場合に、所定のタイミングで、データの転送を要求する転送要求情報を前記データ作成装置へ送信し、
前記データ作成装置は、前記記憶装置から送信された前記転送要求情報を受信した場合に、記憶しているデータを前記記憶装置へ転送し、
前記記憶装置は、前記データ作成装置から転送されたデータを記憶すること
を特徴とするデータ記憶方法。
【請求項２】
前記データ作成装置は、前記予約情報を作成する際に、データを転送する日時を示す日時情報を含んだ前記予約情報を作成し、
前記記憶装置は、受信した前記予約情報に含まれる前記日時情報が示す日時に応じたタイミングで、前記転送要求情報を前記データ作成装置へ送信すること
を特徴とする請求項１に記載のデータ記憶方法。
【請求項３】
前記データ作成装置は、前記予約情報を作成する際に、転送すべき特定のデータを指定するデータ指定情報を含んだ前記予約情報を作成し、
前記記憶装置は、前記転送要求情報を前記データ作成装置へ送信する際に、受信した前記予約情報に含まれる前記データ指定情報が指定する特定のデータの転送を要求する前記転送要求情報を送信し、
前記データ作成装置は、記憶しているデータを前記記憶装置へ転送する際に、受信した前記転送要求情報が転送を要求している特定のデータを転送すること
を特徴とする請求項１又は２に記載のデータ記憶方法。
【請求項４】
データを記憶する記憶装置と、データを作成する手段、作成したデータを記憶する記憶手段、及びデータを前記記憶装置へ転送する転送手段を備えるデータ作成装置とを含むデータ記憶システムにおいて、
前記データ作成装置は、
前記記憶手段が記憶しているデータの転送の予約を指示する予約情報を作成する手段と、
該手段が作成した前記予約情報を前記記憶装置宛に送信する手段とを備え、
前記記憶装置は、
前記データ作成装置から送信された前記予約情報を受信する手段と、
該手段が前記予約情報を受信した場合に、所定のタイミングで、データの転送を要求する転送要求情報を前記データ作成装置へ送信する手段とを備え、
前記データ作成手段は、更に、
前記記憶装置から送信された前記転送要求情報を受信した場合に、前記記憶手段が記憶しているデータを前記転送手段に前記記憶装置へ転送させる手段を備え、
前記記憶装置は、更に、
前記データ作成装置から転送されたデータを記憶する手段を備えること
を特徴とするデータ記憶システム。
【請求項５】
画像データを記憶する記憶装置と、画像データを作成する手段、作成した画像データを記憶する記憶手段、及び画像データを前記記憶装置へ転送する転送手段を備えるデータ作成装置とを含むデータ記憶システムにおいて、
前記データ作成装置は、
前記記憶手段が記憶している画像データの転送の予約を指示する予約情報を含む電子メールを作成する手段と、
該手段が作成した前記電子メールを外部の通信ネットワーク経由で前記記憶装置宛に送信する手段とを備え、
前記記憶装置は、
外部の通信ネットワーク経由で電子メールを受信するメール受信手段と、
前記データ作成装置が送信した前記予約情報を含む電子メールを前記メール受信手段が受信した場合に、所定のタイミングで、画像データの転送を要求する転送要求情報を前記データ作成装置へ送信する手段とを備え、
前記データ作成手段は、更に、
前記記憶装置から送信された前記転送要求情報を受信した場合に、前記記憶手段が記憶している画像データを前記転送手段に前記記憶装置へ転送させる手段を備え、
前記記憶装置は、更に、
前記データ作成装置から転送された画像データを記憶する手段を備えること
を特徴とするデータ記憶システム。
【請求項６】
データを作成する手段、作成したデータを記憶する記憶手段、及びデータを外部の装置へ転送する転送手段を備えるデータ作成装置において、
前記記憶手段が記憶しているデータの転送の予約を指示する予約情報を作成する手段と、
該手段が作成した前記予約情報を外部の装置宛に送信する手段と、
前記記憶手段が記憶しているデータの転送を要求する転送要求情報を前記外部の装置から受信する手段と、
該手段が前記転送要求情報を受信した場合に、前記記憶手段が記憶しているデータを前記転送手段に前記外部の装置へ転送させる手段と
を備えることを特徴とするデータ作成装置。
【請求項７】
外部の装置から送信された、該外部の装置が記憶しているデータの転送の予約を指示する予約情報を受信する手段と、
該手段が前記予約情報を受信した場合に、所定のタイミングで、データの転送を要求する転送要求情報を前記外部の装置へ送信する手段と、
前記外部の装置から転送されたデータを受信する手段と、
該手段が受信したデータを記憶する手段と
を備えることを特徴とする記憶装置。
【発明の詳細な説明】
【技術分野】
【０００１】
本発明は、撮影によって作成した画像データ等のデータをデータ作成装置で作成し、データ作成装置から転送されたデータを記憶装置で記憶するデータ記憶方法、データ記憶システム、データ作成装置及び記憶装置に関する。
【背景技術】
【０００２】
カメラ又はビデオカメラ等の撮影装置は、撮影した静止画像又は動画像をデジタルデータの形式で記録することができるデジタル式のものが広く普及している。また近年では携帯電話又はＰＤＡ等の情報機器にも、撮影装置の機能を有しているものが多い。これらの撮影装置は、撮影した静止画像又は動画像をデジタル化した画像データを、内蔵する磁気テープ、半導体メモリ、光ディスク又はハードディスク等の記憶媒体に記憶する構成となっている。撮影装置が内蔵する記憶媒体の記憶容量には限界があるので、記憶容量以上に画像を撮影するためには、以前に撮影して記憶媒体が記憶している画像データを消去するか、又は撮影装置が内蔵している記憶媒体を交換する必要がある。記憶媒体が記憶している画像データを消去する場合は、通常、撮影装置が内蔵する記憶媒体よりも記憶容量が大きいパーソナルコンピュータ（ＰＣ）又はサーバ装置等の記憶装置へ記憶媒体から画像データを転送し、その後、記憶媒体が記憶している画像データを消去することが行われる。また特許文献１には、通信機能を備えた撮影装置を用い、公衆回線網等の通信ネットワークに接続されたサーバ装置へ撮影装置から通信ネットワークを経由して画像データを転送する技術が開示されている。
【特許文献１】特開平１０−３３６２３８号公報
【発明の開示】
【発明が解決しようとする課題】
【０００３】
ところで、画像データのデータサイズは電子メール等のその他のデータに比べて大きいので、特許文献１に開示された技術では、通信ネットワークを経由するデータ転送量が大きく、転送に必要な時間及び通信料金が大きいという問題がある。これに対し、使用者の自宅にＰＣ等の記憶装置を設置しておき、帰宅時に撮影装置から記憶装置へ画像データを転送する方法では、通信ネットワークを用いる場合に比べてデータの転送速度が大きいので画像データの転送時間は短く、また通信料金は発生しない。しかし、撮影装置から記憶装置へ画像データを転送するためには、撮影装置を記憶装置に接続するか又は撮影装置から記憶媒体を取り出して記憶装置に装着し、撮影装置に画像データを記憶装置へ転送させる作業を行う必要があり、この作業が使用者にとって煩わしい。また使用者は、画像データを転送する必要があることを撮影時には認識していても帰宅時には失念していることも多い。従って、撮影装置から記憶装置へ画像データを転送することを怠りがちになり、いざ撮影時に記憶媒体の記憶容量が不足するという問題がある。
【０００４】
本発明は、斯かる事情に鑑みてなされたものであって、その目的とするところは、撮影等によって作成したデータを自動的に記憶装置へ転送することによって、確実にデータの転送を行うことができるデータ記憶方法、データ記憶システム、データ作成装置及び記憶装置を提供することにある。
【課題を解決するための手段】
【０００５】
本発明に係るデータ記憶方法は、データを作成するデータ作成装置と、データを記憶する記憶装置とを用い、前記データ作成装置が作成したデータを前記記憶装置で記憶するデータ記憶方法において、前記データ作成装置は、作成したデータを記憶し、記憶しているデータの転送の予約を指示する予約情報を作成し、作成した前記予約情報を前記記憶装置宛に送信し、前記記憶装置は、前記データ作成装置から送信された前記予約情報を受信した場合に、所定のタイミングで、データの転送を要求する転送要求情報を前記データ作成装置へ送信し、前記データ作成装置は、前記記憶装置から送信された前記転送要求情報を受信した場合に、記憶しているデータを前記記憶装置へ転送し、前記記憶装置は、前記データ作成装置から転送されたデータを記憶することを特徴とする。
【０００６】
本発明に係るデータ記憶方法は、前記データ作成装置は、前記予約情報を作成する際に、データを転送する日時を示す日時情報を含んだ前記予約情報を作成し、前記記憶装置は、受信した前記予約情報に含まれる前記日時情報が示す日時に応じたタイミングで、前記転送要求情報を前記データ作成装置へ送信することを特徴とする。
【０００７】
本発明に係るデータ記憶方法は、前記データ作成装置は、前記予約情報を作成する際に、転送すべき特定のデータを指定するデータ指定情報を含んだ前記予約情報を作成し、前記記憶装置は、前記転送要求情報を前記データ作成装置へ送信する際に、受信した前記予約情報に含まれる前記データ指定情報が指定する特定のデータの転送を要求する前記転送要求情報を送信し、前記データ作成装置は、記憶しているデータを前記記憶装置へ転送する際に、受信した前記転送要求情報が転送を要求している特定のデータを転送することを特徴とする。
【０００８】
本発明に係るデータ記憶システムは、データを記憶する記憶装置と、データを作成する手段、作成したデータを記憶する記憶手段、及びデータを前記記憶装置へ転送する転送手段を備えるデータ作成装置とを含むデータ記憶システムにおいて、前記データ作成装置は、前記記憶手段が記憶しているデータの転送の予約を指示する予約情報を作成する手段と、該手段が作成した前記予約情報を前記記憶装置宛に送信する手段とを備え、前記記憶装置は、前記データ作成装置から送信された前記予約情報を受信する手段と、該手段が前記予約情報を受信した場合に、所定のタイミングで、データの転送を要求する転送要求情報を前記データ作成装置へ送信する手段とを備え、前記データ作成手段は、更に、前記記憶装置から送信された前記転送要求情報を受信した場合に、前記記憶手段が記憶しているデータを前記転送手段に前記記憶装置へ転送させる手段を備え、前記記憶装置は、更に、前記データ作成装置から転送されたデータを記憶する手段を備えることを特徴とする。
【０００９】
本発明に係るデータ記憶システムは、画像データを記憶する記憶装置と、画像データを作成する手段、作成した画像データを記憶する記憶手段、及び画像データを前記記憶装置へ転送する転送手段を備えるデータ作成装置とを含むデータ記憶システムにおいて、前記データ作成装置は、前記記憶手段が記憶している画像データの転送の予約を指示する予約情報を含む電子メールを作成する手段と、該手段が作成した前記電子メールを外部の通信ネットワーク経由で前記記憶装置宛に送信する手段とを備え、前記記憶装置は、外部の通信ネットワーク経由で電子メールを受信するメール受信手段と、前記データ作成装置が送信した前記予約情報を含む電子メールを前記メール受信手段が受信した場合に、所定のタイミングで、画像データの転送を要求する転送要求情報を前記データ作成装置へ送信する手段とを備え、前記データ作成手段は、更に、前記記憶装置から送信された前記転送要求情報を受信した場合に、前記記憶手段が記憶している画像データを前記転送手段に前記記憶装置へ転送させる手段を備え、前記記憶装置は、更に、前記データ作成装置から転送された画像データを記憶する手段を備えることを特徴とする。
【００１０】
本発明に係るデータ作成装置は、データを作成する手段、作成したデータを記憶する記憶手段、及びデータを外部の装置へ転送する転送手段を備えるデータ作成装置において、前記記憶手段が記憶しているデータの転送の予約を指示する予約情報を作成する手段と、該手段が作成した前記予約情報を外部の装置宛に送信する手段と、前記記憶手段が記憶しているデータの転送を要求する転送要求情報を前記外部の装置から受信する手段と、該手段が前記転送要求情報を受信した場合に、前記記憶手段が記憶しているデータを前記転送手段に前記外部の装置へ転送させる手段とを備えることを特徴とする。
【００１１】
本発明に係る記憶装置は、外部の装置から送信された、該外部の装置が記憶しているデータの転送の予約を指示する予約情報を受信する手段と、該手段が前記予約情報を受信した場合に、所定のタイミングで、データの転送を要求する転送要求情報を前記外部の装置へ送信する手段と、前記外部の装置から転送されたデータを受信する手段と、該手段が受信したデータを記憶する手段とを備えることを特徴とする。
【００１２】
本発明においては、撮影装置等のデータ作成装置は、画像データ等のデータを作成し、後でデータを転送することの予約を指示する予約情報を電子メール等により記憶装置宛に送信し、記憶装置は、予約情報を受信し、データ作成装置を所持する使用者が帰宅する等してデータ作成装置から記憶装置へのデータの転送が可能になった状態での所定のタイミングで、予約情報に従ってデータ作成装置にデータを転送させ、転送されたデータを記憶する。
【００１３】
また本発明においては、データ作成装置は、データの転送を行う転送日時を指定した日時情報を含む予約情報を送信し、記憶装置は、日時情報で指定された日時のタイミングで、データ作成装置にデータを転送させる。
【００１４】
更に本発明においては、データ作成装置は、転送すべき特定のデータを指定するデータ指定情報を含む予約情報を送信し、記憶装置は、データ指定情報で指定されたデータをデータ作成装置に転送させる。
【発明の効果】
【００１５】
本発明にあっては、電子メール等により外部の通信ネットワークを介してデータ作成装置が送信する予約情報は、画像データに比べてデータ量が格段に小さいので、予約情報の送信に必要な時間及び通信料金は小さい。また記憶装置が自動的にデータ作成装置にデータを転送させるので、使用者は煩わしい作業を行う必要がなく、データの転送の作業がより容易となる。更に、画像データを作成するために撮影を行った場合等、データを作成した直後には、使用者がデータの転送の必要性を認識しているので、予約情報をデータ作成装置に送信させる作業を行う可能性は高く、結果的にデータ作成装置から記憶装置への画像データの転送を確実に行うことが可能となる。
【００１６】
また本発明にあっては、使用者が確実に帰宅している深夜の時間帯等、データ作成装置から記憶装置へのデータの転送が可能である状態になる可能性が高い日時に転送日時を指定しておくことにより、より確実にデータ作成装置から記憶装置へのデータの転送を行うことが可能となる。
【００１７】
更に本発明にあっては、転送すべき特定のデータとして、データ作成装置が記憶しているデータの中で保存する必要があるデータを指定することにより、必要なデータを確実にデータ作成装置から記憶装置へ転送することができる。従って、撮影装置等のデータ作成装置を使用者が次に使用する際には、データ作成装置が記憶しているデータの中で必要なものは記憶装置に記憶されているので、データ作成装置が記憶しているデータを消去してデータ作成装置の記憶容量を効率よく利用することが可能となる等、本発明は優れた効果を奏する。
【発明を実施するための最良の形態】
【００１８】
以下本発明をその実施の形態を示す図面に基づき具体的に説明する。
図１は、本発明のデータ記憶システムの概要を示す概念図である。図中の１は、本発明のデータ作成装置である撮影装置であり、撮影によって画像データを作成する機能を有している。撮影装置１は使用者に携帯されて屋外等の任意の場所で使用される。使用者宅Ｈには本発明の記憶装置２が設置されており、記憶装置２はインターネット及び公衆回線網等の通信ネットワークＮに接続されている。記憶装置２には、電子メールアドレスが割り振られており、この電子メールアドレスを用いて記憶装置２宛に送信された電子メールを記憶するメールサーバ装置３が通信ネットワークＮに接続されている。記憶装置２は、メールサーバ装置３が記憶する記憶装置２宛の電子メールを、通信ネットワークＮを介して取り込むことができる構成となっている。撮影装置１は、通信ネットワークＮとの間で通信を行う通信機能を有しており、記憶装置２宛の電子メールを通信ネットワークＮを介して送信することができる構成となっている。また撮影装置１は、無線ＬＡＮ（Local Area Network）等を用いて記憶装置２に接続する機能を有しており、使用者が帰宅して使用者宅Ｈに撮影装置１が存在する場合等、撮影装置１が記憶装置２に接続可能である場合は、作成して記憶している画像データを記憶装置２へ転送することができる構成となっている。
【００１９】
図２は、本発明のデータ作成装置である撮影装置１の内部構造を示すブロック図である。撮影装置１は、静止画像又は動画像を撮影するカメラ装置である。撮影装置１は、演算を行うＣＰＵ１０１を備え、ＣＰＵ１０１には、演算に伴う一時的なデータを記憶するＲＡＭ１０２と、撮影装置１の機能を実現するための制御プログラムを記憶したＲＯＭ１０３が接続されている。ＣＰＵ１０１は、ＲＯＭ１０３が記憶している制御プログラムに従って、撮影装置１に必要な処理を実行する。またＲＯＭ１０３は記録装置２の電子メールアドレスを記憶している。またＣＰＵ１０１には、ＣＣＤ（Charge Coupled Device ）等の撮像素子を用いて撮影を行う撮影部１０４と、撮影部１０４が撮影した画像を表す画像データを作成する画像処理部１０５とが接続されている。
【００２０】
またＣＰＵ１０１には、シャッターキー及びズームキー等の使用者からの操作を受け付ける複数の操作キーからなる操作部１０６と、液晶パネル等の表示部１０７とが接続されている。操作部１０６は、ＣＰＵ１０１が処理を行うために必要な処理指示を示す操作を受け付け、表示部１０７は、必要な情報を表示する。なお操作部１０６の一部は、表示部１０７と一体となったタッチパネルであってもよい。
【００２１】
またＣＰＵ１０１には、無線通信を用いて通信ネットワークＮとの間で通信を行う通信部１０８と、撮影装置１が使用者宅Ｈにある場合に記憶装置２との間で情報を送受信するＬＡＮ送受信部（転送手段）１０９とが接続されている。通信部１０８は、電子メールを送信することができればよいので、データの転送速度は小さく、ＬＡＮ送受信部１０９は画像データを送信する必要があるので、データの転送速度は大きい。更にＣＰＵ１０１には、日時を計時する時計部１１０と、半導体メモリ、ハードディスク又は光ディスク等の記憶媒体を用いてデータを記憶する記憶部（記憶手段）１１１が接続されている。記憶部１１１は、画像処理部１０５が作成した画像データを記憶する構成となっている。
【００２２】
図３は、本発明の記憶装置２の内部構成を示すブロック図である。記憶装置２は、ＮＡＳ（Network Attached Storage）、ＰＣ、又はサーバ装置等を用いて構成されている。記憶装置２は、演算を行うＣＰＵ２１と、演算に伴って発生する一時的な情報を記憶するＲＡＭ２２と、ハードディスク等の記憶部２３を備えている。記憶部２３は、記憶装置２の機能を実現するためのプログラムを記憶しており、ＣＰＵ２１は、必要に応じて記憶部２３からプログラムをＲＡＭ２２へロードし、ロードしたプログラムに基づいて記憶装置２に必要な処理を実行する。また記憶部２３は、撮影装置１から転送された画像データを記憶する構成となっている。
【００２３】
また記憶装置２は、通信ネットワークＮに接続された通信部（メール受信手段）２４を備えており、ＣＰＵ２１は、通信部２４を介して通信ネットワークＮとの間で情報を交換する。またＣＰＵ２１には、ＬＡＮインタフェース部２５が接続されており、ＬＡＮインタフェース部２５には記憶装置２外のＬＡＮ送受信機２０に接続されている。ＬＡＮ送受信機２０は、無線ＬＡＮを用いて記憶装置２外の機器との間でデータを送受信する機器である。ＣＰＵ２１は、ＬＡＮインタフェース部２５及びＬＡＮ送受信機２０を介して記憶装置２外の機器との間でデータを送受信する。更にＣＰＵ２１には、日時を計時する時計部２６が接続されている。
【００２４】
なお、通信部２４は、直接に通信ネットワークＮに接続されている形態に限るものではなく、他のゲートウェイ装置を介して接続されている形態であってもよい。またＬＡＮ送受信機２０は、ＬＡＮインタフェース部２５と一体になって記憶部２に内蔵されている形態であってもよい。
【００２５】
次に、以上の構成からなる本発明のデータ記憶システムを用いた本発明のデータ記憶方法を説明する。使用者は撮影装置１を操作して静止画像又は動画像を撮影し、撮影装置１は画像データを記憶部１１１に記憶する。このとき撮影装置１は、記憶部１１１に記憶してある画像データを帰宅時に記憶装置２へ転送することを予約するための予約情報を含む電子メールを記憶装置２宛に送信する処理を行うことができる。
【００２６】
図４は、撮影装置１が予約情報を含む電子メールを送信する処理を示すフローチャートである。撮影装置１のＣＰＵ１０１は、ＲＯＭ１０３が記憶する制御プログラムに従って以下の処理を実行する。ＣＰＵ１０１は、撮影をある程度終了した後の使用者が操作部１０６を操作することによる、画像データを転送することを予約する転送予約の指示の受付を待ち受けている（Ｓ１１）。転送予約の指示の受付がない場合は（Ｓ１１：ＮＯ）、ＣＰＵ１０１は、転送予約の指示の受付の待ち受けを続行する。転送予約の指示を操作部１０６で受け付けた場合は（Ｓ１１：ＹＥＳ）、ＣＰＵ１０１は、記憶部１１１が記憶している画像データの内、転送可能な画像データを表示部１０７に表示する（Ｓ１２）。このとき表示部１０７は、画像のサムネイル、画像データのファイル名、及び撮影日時等を表示する。ＣＰＵ１０１は、次に、使用者が操作部１０６を操作して、表示部１０７に表示した画像データの内で特定の画像データを選択することによる、転送すべき画像データの指定の受付を待ち受ける（Ｓ１３）。画像データの指定の受付がない場合は（Ｓ１３：ＮＯ）、ＣＰＵ１０１は、画像データの指定の受付の待ち受けを続行する。
【００２７】
ステップＳ１３で画像データの指定を受け付けた場合は（Ｓ１３：ＹＥＳ）、ＣＰＵ１０１は、時計部１１０が計時した現在の日時に基づいて、画像データを転送する日時の候補を作成し、作成した転送日時の候補を表示部１０７に表示する（Ｓ１４）。ＣＰＵ１０１は、使用者が操作部１０６を操作して、表示部１０７に表示した日時の候補の内で特定の日時を選択することによる、画像データの転送日時の指定の受付を待ち受ける（Ｓ１５）。このとき、転送日時を表示された候補の中から選択するのではなく、使用者が操作部１０６を操作して直接入力した転送日時を受け付ける処理を行ってもよい。転送日時の指定の受付がない場合は（Ｓ１５：ＮＯ）、ＣＰＵ１０１は、転送日時の指定の受付の待ち受けを続行する。転送日時の指定を受け付けた場合は（Ｓ１５：ＹＥＳ）、ＣＰＵ１０１は、転送すべき画像データ及び転送日時からなる指定された内容を表示部１０７に表示する（Ｓ１６）。
【００２８】
ＣＰＵ１０１は、次に、表示部１０７に表示された内容を確認した使用者が操作部１０６を操作することによる、電子メールの送信指示の受付を待ち受ける（Ｓ１７）。電子メールの送信指示の受付がない場合は（Ｓ１７：ＮＯ）、ＣＰＵ１０１は、処理をステップＳ１２へ戻す。電子メールの送信指示を受け付けた場合は（Ｓ１７：ＹＥＳ）、ＣＰＵ１０１は、画像データ転送の予約を指示する予約情報、転送すべき画像データを指定するデータ指定情報、及び転送日時を指定する日時情報を含む電子メールを作成し（Ｓ１８）、作成した電子メールを通信部１０８から通信ネットワークＮを介して記憶装置２宛に送信し（Ｓ１９）、処理を終了する。
【００２９】
メールサーバ装置３は、記憶装置２宛に送信された電子メールを記憶する。記憶装置２のＣＰＵ２１は、記憶装置２宛の電子メールをメールサーバ装置３が記憶しているか否かを定期的に調査し、記憶装置２宛の電子メールをメールサーバ装置３が記憶している場合は、メールサーバ装置３から電子メールを受信する処理を行う。更にＣＰＵ２１は、受信した電子メールの内容を記憶部２３に記憶する処理を行う。
【００３０】
図５は、予約情報を含む電子メールの内容例を示す模式図である。電子メールには、画像データの転送の予約を指示する予約情報である転送予約の文字が含まれており、また撮影装置１を識別するためのカメラＩＤが含まれている。また電子メールには、転送すべき画像データを指定するデータ指定情報である転送すべき画像データのファイル名が含まれており、転送日時を指定する日時情報である転送日時を示す文字列が含まれている。
【００３１】
なお、以上に説明した処理では、使用者から転送予約の指示を受け付けてから予約情報を含む電子メールを送信する処理を行っているが、これに限るものではなく、撮影により画像データを作成する都度、作成した画像データの転送を予約するための電子メールを撮影装置１が自動的に作成して送信する処理を行う形態であってもよい。
【００３２】
撮影装置１での撮影を終了した使用者は帰宅し、使用者宅Ｈ内に撮影装置１を放置しておく。記憶装置２は、画像データの転送の予約を指示する電子メールで指定された転送日時になったときに、撮影装置１に画像データを転送させる処理を行う。
【００３３】
図６は、予約情報に従って画像データを転送する処理の手順を示すフローチャートである。記憶装置２のＣＰＵ２１は、ＲＡＭ２２にロードしたプログラムに従って以下の処理を行う。ＣＰＵ２１は、所定の時間が経過する都度、時計部２６が計時する日時に基づいて、画像データの転送の予約を指示する電子メールで指定された転送日時になったか否かを判定する（Ｓ２０１）。まだ転送日時になっていない場合は（Ｓ２０１：ＮＯ）、ＣＰＵ２１は、更に所定の時間が経過する都度、転送日時になったか否かの判定を行う。指定された転送日時に既になっている場合は（Ｓ２０１：ＹＥＳ）、ＣＰＵ２１は、ＬＡＮインタフェース部２５及びＬＡＮ送受信機２０を介して、画像データの転送の予約を指示する電子メールでＩＤが指定された撮影装置１に対して呼び出しを送信する（Ｓ２０２）。
【００３４】
撮影装置１がＬＡＮ送受信機２０と通信可能な位置に放置されてある場合は、撮影装置１は、記憶装置２から送信された撮影装置１の呼び出しをＬＡＮ送受信部１０９で受信する。記憶装置２からの呼び出しを受信した場合は、撮影装置１のＣＰＵ１０１は、呼び出しに対する応答をＬＡＮ送受信部１０９から記憶装置２へ送信する。撮影装置１が呼び出しに対する応答を送信した場合は、記憶装置２のＣＰＵ２１は、ＬＡＮインタフェース部２５及びＬＡＮ送受信機２０を介して、呼び出しに対する撮影装置１からの応答を受信することができる。
【００３５】
ＣＰＵ２１は、ステップＳ２０２が終了した後、撮影装置１からの応答の受信を待ち受ける（Ｓ２０３）。所定時間以内に撮影装置１からの応答の受信がない場合は（Ｓ２０３：ＮＯ）、ＣＰＵ２１は、既に所定回数の撮影装置１の呼び出しを行ったか否かを判定する（Ｓ２０４）。まだ所定回数の撮影装置１の呼び出しを行っていない場合は（Ｓ２０４：ＮＯ）、ＣＰＵ２１は、処理をステップＳ２０２へ戻して撮影装置１の呼び出しを再度送信する。所定回数の撮影装置１の呼び出しを既に行っている場合は（Ｓ２０４：ＹＥＳ）、ＣＰＵ２１は、処理を終了する。ステップＳ２０３で撮影装置１からの応答を受信した場合は（Ｓ２０３：ＹＥＳ）、ＣＰＵ２１は、ＬＡＮインタフェース部２５及びＬＡＮ送受信機２０を介して、画像データの転送の予約を指示する電子メールで指定された画像データの転送を要求する転送要求情報を撮影装置１へ送信する（Ｓ２０５）。
【００３６】
撮影装置１のＣＰＵ１０１は、転送要求情報をＬＡＮ送受信部１０９で受信し（Ｓ２０６）、受信した転送要求情報で指定された画像データを記憶部１１１から検索し（Ｓ２０７）、検索した画像データをＬＡＮ送受信部１０９から記憶装置２へ転送する（Ｓ２０８）。なお、ＣＰＵ１０１は、転送すべき画像データを転送した後で、転送した画像データを記憶部１１１から消去する処理を行ってもよい。
【００３７】
記憶装置２のＣＰＵ２１は、撮影装置１から転送された画像データをＬＡＮインタフェース部２５及びＬＡＮ送受信機２０を介して受信し（Ｓ２０９）、受信した画像データを記憶部２３に記憶し（Ｓ２１０）、処理を終了する。記憶装置２が記憶する画像データは、記憶装置２に接続された図示しないＰＣからの要求等により、外部へ出力することが可能である。
【００３８】
以上詳述した如く、本発明においては、撮影装置１は、屋外等で撮影により画像データを作成し、後で画像データを転送することの予約を指示する予約情報を含む電子メールを記憶装置２宛に通信ネットワークＮを介して送信し、記憶装置２は、予約情報を含む電子メールを受信し、使用者が帰宅して無線ＬＡＮを用いたデータの送受信が可能な範囲に撮影装置１が置かれた場合等の画像データの転送が可能となった状態で、予約情報に従って撮影装置１に画像データを転送させ、転送された画像データを記憶する。通信ネットワークＮを介して撮影装置１が送信する予約情報を含む電子メールは、画像データに比べてデータ量が格段に小さいので、予約情報の送信に必要な時間及び通信料金は小さい。また記憶装置２が自動的に撮影装置１に画像データを転送させるので、使用者は煩わしい作業を行う必要がなく、画像データの転送の作業がより容易となる。更に、撮影の直後には、使用者が画像データの転送の必要性を認識しているので、予約情報を含む電子メールを撮影装置１に送信させる作業を行う可能性は高く、結果的に撮影装置１から記憶装置２への画像データの転送を確実に行うことが可能となる。
【００３９】
また本発明においては、撮影装置１は、予約情報を含む電子メールに、画像データの転送を行う転送日時を指定した日時情報を含ませて送信し、記憶装置２は、日時情報に指定された日時に、撮影装置１に画像データを転送させる。使用者が使用者宅Ｈに確実に帰宅している深夜の時間帯等、画像データの転送が可能になる可能性が高い日時に転送日時を指定しておくことにより、より確実に撮影装置１から記憶装置２への画像データの転送を行うことが可能となる。
【００４０】
更に本発明においては、撮影装置１は、予約情報を含む電子メールに、転送すべき特定の画像データを指定するデータ指定情報を含ませて送信し、記憶装置２は、データ指定情報で指定された画像データを撮影装置１に転送させる。撮影した画像データの中で保存する必要がある画像データを指定することにより、必要な画像データを確実に撮影装置１から記憶装置２へ転送することができる。従って、次に使用者が撮影装置１を使用する際には、撮影装置１が記憶している画像データの中で必要なものは記憶装置２に記憶されているので、撮影装置１が記憶している画像データを消去して撮影装置１の記憶容量を効率よく利用することが可能となる。
【００４１】
なお本実施の形態においては、撮影装置１は無線ＬＡＮを用いて画像データを記憶装置２へ転送する形態を示したが、これに限るものではなく、撮影装置１を充電するクレイドルを有線で記憶装置２に接続しておき、クレイドルを介して画像データを転送する形態等、有線で撮影装置１から記憶装置２への画像データの転送を行う形態でもよい。
【００４２】
また本実施の形態においては、記憶装置２に対して一台の撮影装置１から画像データを送信する形態を示したが、これに限るものではなく、記憶装置２が事業所に設置されて各事業所員が撮影装置１を使用する場合にのように、記憶装置２が複数の撮影装置１を取り扱うことが可能であり、電子メールに含まれる撮影装置１のＩＤに基づいて各撮影装置１を認識して画像データを転送させる形態であってもよい。
【００４３】
また本実施の形態においては、撮影装置１は、電子メールを送信するための通信部１０８及び画像データを転送するためのＬＡＮ送受信部１０９を内蔵した形態を示したが、声に限るものではなく、通信部１０８又はＬＡＮ送受信部１０９を内蔵せずに着脱可能な外付けのユニットである通信部１０８又はＬＡＮ送受信部１０９を用いて情報の送受信を行う形態であってもよい。
【００４４】
また本実施の形態においては、本発明に係るデータ作成装置としてカメラである撮影装置１の例を示したが、データ作成装置の形態はこれに限るものではなく、撮影手段を備えた携帯電話、ＰＤＡ、又は画像若しくは音声を扱う処理を行って大量のデータを作成するＰＣ等、その他の形態であってもよい。
【図面の簡単な説明】
【００４５】
【図１】本発明のデータ記憶システムの概要を示す概念図である。
【図２】本発明のデータ作成装置である撮影装置の内部構造を示すブロック図である。
【図３】本発明の記憶装置の内部構成を示すブロック図である。
【図４】撮影装置が予約情報を含む電子メールを送信する処理を示すフローチャートである。
【図５】予約情報を含む電子メールの内容例を示す模式図である。
【図６】予約情報に従って画像データを転送する処理の手順を示すフローチャートである。
【符号の説明】
【００４６】
１  撮影装置（データ作成装置）
１０１  ＣＰＵ
１０８  通信部
１０９  ＬＡＮ送受信部（転送手段）
１１１  記憶部（記憶手段）
２  記憶装置
２０  ＬＡＮ送受信機
２１  ＣＰＵ
２３  記憶部
２４  通信部（メール受信手段）
２５  ＬＡＮインタフェース部
Ｎ  通信ネットワーク
【図１】
2006209443.tif 000003
【図２】
2006209443.tif 000004
【図３】
2006209443.tif 000005
【図４】
2006209443.tif 000006
【図５】
2006209443.tif 000007
【図６】
2006209443.tif 000008